(57)【要約】 【課題】端末の通信状況の判明を困難とすることが可能な無線通信装置と無線通信方法を提供する。【解決手段】検出部201bは、登録された端末が接続されているかどうかを検出する。生成部201cは、検出部により、端末が接続されていないことが検出された場合、登録された端末が接続シーケンスにおいて送受信するフレームと同様の疑似フレームを生成する。送信部202aは、生成部により生成された疑似フレームを送信する。【選択図】図４
2014187538.tif 000002
【特許請求の範囲】
【請求項１】
登録された端末が接続されているかどうかを検出する検出部と、
前記検出部により、前記端末が接続されていないことが検出された場合、前記登録された端末が送受信するフレームと同様の疑似フレームを生成する生成部と、
前記生成部により生成された疑似フレームを送信する送信部と
を具備することを特徴とする無線通信装置。
【請求項２】
前記検出部により前記登録された端末が接続されたことが検出された場合、前記生成部は、前記疑似フレームの生成を停止することを特徴とする請求項１記載の無線通信装置。
【請求項３】
前記端末のＭＡＣアドレスを記録し、前記検出部により前記登録された端末が接続されていないことが検出された場合、前記生成部に前記疑似フレームの生成を要求し、前記検出部により前記登録された端末が接続されたことが検出された場合、前記生成部に前記疑似フレームの生成を停止させる制御部、
前記制御部は、前記疑似フレームの送信間隔、送信レート、長さを制御することを特徴とする請求項２記載の無線通信装置。
【請求項４】
前記登録された端末から受信した受信フレームの履歴を保持する保持部、
前記制御部は、前記保持部に保持された受信フレームの履歴から前記疑似フレームの送信間隔、送信レート、長さを制御することを特徴とする請求項３記載の無線通信装置。
【請求項５】
前記検出部により前記登録された端末が接続されていないことが検出された場合、前記生成部は、接続を維持するための擬似接続フレームを生成することを特徴とする請求項１記載の無線通信装置。
【請求項６】
アクセスポイントにより登録された端末が接続されていないことが検出された場合、前記アクセスポイントは前記登録された端末が送受信するフレームと同様の疑似フレームを生成し、
前記生成された疑似フレームを送信する
ことを特徴とする無線通信方法。
【請求項７】
前記アクセスポイントにより前記登録された端末が接続されたことが検出された場合、前記アクセスポイントは前記疑似フレームの生成を停止することを特徴とする請求項６記載の無線通信方法。
【発明の詳細な説明】
【技術分野】
【０００１】
本発明の実施形態は、例えば無線ＬＡＮ（Local Area Network）などの無線通信装置と無線通信方法に関する。
【背景技術】
【０００２】
無線通信装置として無線ＬＡＮが使用されている。この無線ＬＡＮは、通信データが暗号化されているため、通信内容は保護されている。しかし、無線ＬＡＮにより通信が行われているかどうかは、傍受することができる。また、ＭＡＣ（Media Access Control）アドレスは、暗号化できないため、どの端末が通信しているかどうかが判明してしまう。このため、端末との通信状況により、端末の使用者が在宅中であるか、不在であるか外部から判明してしまう。
【先行技術文献】
【特許文献】
【０００３】
【特許文献１】特開２００７−１３３４８号公報
【発明の概要】
【発明が解決しようとする課題】
【０００４】
本実施形態は、端末の通信状況の判明を困難とすることが可能な無線通信装置と無線通信方法を提供する。
【課題を解決するための手段】
【０００５】
本実施形態の無線通信装置は、登録された端末が接続されているかどうかを検出する検出部と、前記検出部により、前記端末が接続されていないことが検出された場合、前記登録された端末が接続シーケンスにおいて送受信するフレームと同様の疑似フレームを生成する生成部と、前記生成部により生成された疑似フレームを送信する送信部とを具備することを特徴とする。
【図面の簡単な説明】
【０００６】
【図１】図１（ａ）（ｂ）は、一般的な通信トラフィックの例を説明するために示す図。
【図２】本実施形態が適用される無線通信装置を概略的に示す図。
【図３】本実施形態に係る無線通信装置の一例を示す構成図。
【図４】図３に示す無線通信装置の一部を示す構成図。
【図５】本実施形態に係る無線通信装置の動作の一例を示すシーケンス図。
【図６】図６（ａ）（ｂ）は、本実施形態に係る通信トラフィックの例を説明するために示す図。
【発明を実施するための形態】
【０００７】
上述したように、端末の通信状況が判明した場合、宅内から漏れる通信トラフィックを傍受することにより、在宅であるか、不在であるかが判明し、防犯上好ましくない。さらに、その家の人の活動情報が漏れる。特に、スマートフォンを自宅のアクセスポイント（以下、ＡＰと称す）に接続している場合、スマートフォンは、使用者自身が携帯しているため、使用者の活動との相関が高く、使用者の活動情報が漏れる虞がある。
【０００８】
具体的には、図１（ａ）に示すように、例えばスマートフォンの使用者が起床した場合、スマートフォンとＡＰとの間のトラフィックが増加し、使用者が就寝した後は、スマートフォンとＡＰとの間のトラフィックが減少する。このため、使用者の活動情報を外部から知ることができる。
【０００９】
また、図１（ｂ）に示すように、スマートフォンを使用者が操作しない場合においても、スマートフォンはＡＰとの間で、接続を維持するためのフレームを定期的に送信している。このため、このフレームが検出された場合、家の中に使用者が居ることを外部から知ることができ、また、このフレームが検出されなければ、不在であることを外部から知ることができる。したがって、外部から不在であることが判明した場合、防犯上問題である。
【００１０】
上記説明はスマートフォンを例に挙げたが、他の端末も同様である。
【００１１】
そこで、本実施形態は、端末の利用者が不在の場合であっても、在宅状態であるかのように、ＡＰが動作することにより、外部から端末の通信状況の判明を困難とするものである。
【００１２】
（実施形態）
以下、実施の形態について、図面を参照して説明する。
【００１３】
図２は、本実施形態に係る無線ＬＡＮ通信システムの構成例を示している。このシステムにおいて、ＡＰ１００は、無線ＬＡＮ通信システムにおける端末であり、例えば無線ＬＡＮルータである。このＡＰ１００は、例えば３台の端末（以下、ＳＴＡ（Station）と称す）１０１〜１０３との間で通信が可能とされている。ＳＴＡ１０１〜１０３は、無線ＬＡＮの通信システムにおける相手端末であり、例えばスマートフォンやパーソナルコンピュータである。ＡＰ１００、及びＳＴＡ１０１〜１０３は、例えば個人の屋内に配置されている。
【００１４】
また、ＡＰ１００は、例えばＬＡＮケーブルを通じてインターネット３００に接続されている。さらに、ＡＰ１００は、後述するように、全てのＳＴＡ１０１〜１０３のＭＡＣアドレスを管理する。
【００１５】
図３は、上記ＡＰ１００の構成を概略的に示している。ＡＰ１００は、無線ＬＡＮベースバンドチップ２００を有している。無線ＬＡＮベースバンドチップ２００上には、ＣＰＵ（Central Processing Unit）２０１、ＭＡＣ２０２、ＰＨＹ（Physical layer）２０３、ＭＥＭＣ（Memory Controller）２０４、ホストインターフェース（ホスト ＩＦ）２０５、及びＳＲＡＭ（Static Random Access Memory）２０６が設けられている。ＣＰＵ２０１、ＭＡＣ２０２、ＰＨＹ２０３、ＭＥＭＣ２０４、及びホストインターフェース２０５は、バス２００ａを介して、相互に接続されている。
【００１６】
ＰＨＹ２０３には、ＭＡＣ２０２及び無線部（ＲＦ（Radio Frequency）部）２１０が接続されている。無線部２１０内には、ＲＦチップ２１１が設けられている。ＲＦチップ２１１には、アンテナ部２１２が接続されている。
【００１７】
ＭＥＭＣ２０４には、ＳＲＡＭ２０６およびＳＤＲＡＭ（Synchronous Dynamic Random Access Memory）２０７が接続されている。ホストインターフェース２０５には、ホストコントローラチップ）２０９が接続されている。
【００１８】
例えばホストコントローラチップ２０９からデータを送信する時、ホストコントローラチップ２０９から供給されたデータは、無線ＬＡＮベースバンドチップ２００内のホストインターフェース２０５を介して、ＳＲＡＭ２０６内及び／又はＳＤＲＡＭ２０７内に格納される。ＳＲＡＭ２０６及びＳＤＲＡＭ２０７へのアクセスは、ＭＥＭＣ２０４を介して行われる。
【００１９】
ＳＲＡＭ２０６内及び／又はＳＤＲＡＭ２０７内に格納されたデータは、ＣＰＵ２０１によって処理された後、ＭＡＣ２０２及びＰＨＹ２０３を通って、無線部２１０へと出力される。ＲＦチップ２１１は供給された高周波信号としてのデータを増幅して、アンテナ部２１２へ供給し、アンテナ部２１２から無線ＬＡＮ通信のフレームが送信される。
【００２０】
データ受信時は、この逆の動作となる。また、ＳＴＡ１０１〜１０３についても、構成及び動作は、ＡＰ１００とほぼ同様である。
【００２１】
ＰＨＹ２０３は、例えばIEEE 802.11規格に準拠した所定の変調及び符号処理とＦＦＴ(Fast Fourier Transform)処理等の復調及び復号処理を含む送受信処理や、無線信号の送出及び受信等を行う。802.11規格の物理層の規定では、直接拡散（Direct Sequence）方式のスペクトラム拡散、或いはＯＦＤＭ方式が利用される。２４００〜２４８３．５［ＭＨｚ］帯の周波数帯域には５［ＭＨｚ］の間隔で、例えば１３個の周波数チャネルが割り当てられており、それらの周波数チャネルの中から任意の周波数チャネルを選択する。選択した周波数チャネルにおいて、802.11b/802.11g/802.11n規格では約２０［ＭＨｚ］の通信帯域を使用し、また、802.11nでは約４０［ＭＨｚ］の通信帯域を使用する場合もある。
【００２２】
ＭＡＣ２０２は、例えばIEEE 802.11に準拠した所定のアクセス制御を行う。802.11規格のアクセス制御は、例えば無線環境の使用状況を観測してからフレームを送信するか否かを決定するＣＳＭＡ／ＣＡ（Carrier Sense Multiple Access with Collision Avoidance）を実施する。
【００２３】
また、ＭＡＣ２０２は、送信するデータにＭＡＣヘッダを付加したり、802.11 規格のＭＡＣフレームの一種であるデータフレームを受信した際に、返信（Ack: acknowledgment）フレームを送信したりする処理等も行う。
【００２４】
さらに、ＣＰＵ２０１は、例えばＳＴＡ１０１〜１０３のいずれかの接続が切断された場合、切断されたＳＴＡとＡＰとの間で送受信されるフレームと同等の疑似フレームの送信要求をＭＡＣに供給する。
【００２５】
図４は、ＣＰＵ２０１によりソフトウェアで疑似フレームを処理する場合を示すものであり、ＣＰＵ２０１のソフトウェアの構成とＭＡＣ２０２の構成の一例を概略的に示している。
【００２６】
ＣＰＵ２０１は、接続管理部２０１ａ、疑似フレーム制御部２０１ｂ、疑似フレーム生成部２０１ｃ、統計情報部２０１ｄを制御する。
【００２７】
（接続管理部２０１ａ）
接続管理部２０１ａは、登録された端末（疑似すべき端末）ＳＴＡ１０１〜１０３が接続されているかどうかを検出する検出部としての機能を有している。すなわち、接続管理部２０１ａは、ＳＴＡ１０１〜１０３が、ＡＰ１００に接続されているかどうかを管理し、疑似フレーム制御部２０１ｂに通知する。
【００２８】
（疑似フレーム制御部２０１ｂ）
疑似フレーム制御部２０１ｂは、本実施形態において、ＡＰ１００が通信するＳＴＡ１０１〜１０３の例えばＭＡＣアドレスを登録するとともに、疑似フレームの生成動作などを制御する。
【００２９】
具体的には、疑似フレーム制御部２０１ｂは、接続管理部２０１ａの通知に基づき、ＳＴＡ１０１〜１０３の何れか、又は全てがＡＰ１００に接続されていない場合、適切なタイミングで、疑似フレーム生成部２０１ｃに、疑似フレームの生成、及び送信を指示する。
【００３０】
適切なタイミングとは、例えば擬似すべきＳＴＡ１０１〜１０３が切断されてから、ある時間、例えば一定時間、又は任意の時間が経過したときである。ＳＴＡ１０１〜１０３の通信動作を擬似する場合、ＳＴＡ１０１〜１０３の通信パターン（特徴）に従うことが必要である。この通信パターンは、通信間隔、通信レート、通信の長さなどを含むものであり、この通信パターンは、統計情報部２０１ｄに保持されている受信フレームの履歴に基づき決定される。
【００３１】
疑似フレーム制御部２０１ｂは、接続管理部２０１ａから擬似すべきＳＴＡ１０１〜１０３が切断したという情報を受けた場合、例えば一定時間経過した後、疑似フレーム生成部２０１ｃに疑似フレーム生成、及び送信開始を指示する。さらに、擬似フレーム制御部２０１ａは、通信間隔、通信レート、通信の長さなどを疑似フレーム生成部２０１ｃに指示する。
【００３２】
疑似フレーム制御部２０１ｂが疑似フレーム生成部２０１ｃに送信要求を出すとき、データフレーム、及び返信（Ack）フレームを送信するように指示してもよい。
【００３３】
さらに、ある確率で、返信フレームを除いたデータフレームだけを送信するように指示しても良い。
【００３４】
接続管理部２０１ａから、擬似すべきＳＴＡ１０１〜１０３が、ＡＰ１００に接続したことの通知を受けた場合、疑似フレーム制御部２０１ｂは、疑似フレーム生成部２０１ｃに疑似フレームの生成、及び送信の停止を指示する。
【００３５】
また、疑似フレーム制御部２０１ｂは、受信フレームを直接参照し、ＳＴＡ１０１〜１０３が送信したフレームを受信した場合、疑似フレームの生成及び送信を停止してもよい。
【００３６】
或いは、疑似フレーム制御部２０１ｂは、擬似フレームの生成、送信要求を出した後、一定時間経過した場合、疑似フレーム生成部２０１ｃに、疑似フレームの生成、送信の停止を指示してもよい。
【００３７】
（疑似フレーム生成部２０１ｃ）
疑似フレーム生成部２０１ｃは、疑似フレーム制御部２０１ｂの指示に基づき、疑似フレーム制御部２０１ｂに登録されたＳＴＡ１０１〜１０３の送信を疑似するため、疑似フレームを生成する。この擬似フレームは、擬似フレーム制御部２０１ａから供給される通信間隔、通信レート、通信の長さなどに基づき生成される。さらに、擬似データフレーム、及び擬似返信フレームを生成したり、擬似データフレームのみを生成したりすることもある。
【００３８】
この生成されたフレームは、送信フレームバッファ２０２ｂに供給される。この送信フレームバッファ２０２ｂは、説明の便宜上ＭＡＣ２０２内に記載しているが、例えばＳＲＡＭ２０６が送信フレームバッファ２０２ｂとして機能する。
【００３９】
さらに、疑似フレーム生成部２０１ｃは、ＭＡＣ２０２の送信制御部２０２ａに送信要求を供給する。
【００４０】
（統計情報部２０１ｄ）
統計情報部２０１ｄは、ＡＰ１００がＳＴＡ１０１〜１０３から過去に受信した受信フレームの履歴情報を保持している。この履歴情報は、通信間隔、通信レート、通信の長さなどを含んでいる。この履歴情報は、疑似フレーム制御部２０１ｂにより参照される。疑似フレーム制御部２０１ｂは、履歴情報に基づき、例えばＳＴＡ１０１〜１０３の通信パターンの特徴を保持する。すなわち、ＳＴＡ１０１〜１０３は、それぞれ通信間隔、通信レート、通信の長さや、トラフィックの量、などが異なっている。疑似フレーム制御部２０１ｂは、この通信パターンを保持し、この通信パターンに従って、疑似フレームの生成を制御する。したがって、あたかもＳＴＡ１０１〜１０３とＡＰ１００とが通信しているかのように擬似することが可能である。
【００４１】
（ＭＡＣ２０２）
一方、ＭＡＣ２０２は、送信制御部２０２ａ、及び時間計測部２０２ｃを有している。送信制御部２０２ａは、擬似フレーム生成部２０１ｃからの送信要求を受けると、ＰＨＹ２０３からＣＣＡ（Clear Channel Assessment）やバックオフ時間などを考慮し、802.11規格のプロトコルに従い、送信フレームバッファ２０２ｂに保持された送信フレームをＰＨＹ２０３に送る。
【００４２】
その後、送信制御部２０２ａは、時間計測部２０２ｃを用いて時間を計測し、ＳＩＦＳ(Short Inter Frame Space)時間後にフレームが送信されるように、送信フレームバッファに保持されたACK フレームをＰＨＹ２０３に送信する。
【００４３】
（動作）
図５は、上記無線通信装置の動作の一例を示すものである。
【００４４】
ここで、ＳＴＡ１０１〜１０３のＭＡＣアドレスが擬似フレーム制御部２０１ｂに登録されているものとする。
【００４５】
ＣＰＵ２０１において、接続管理部２０１ａは、ＳＴＡ１０１〜１０３が、ＡＰ１００に接続されているかどうかを管理し、ＳＴＡ１０１〜１０３の少なくとも１つが切断された場合、疑似フレーム制御部２０１ｂに通知する（Ｓ１１）。
【００４６】
疑似フレーム制御部２０１ｂは、ＳＴＡ１０１〜１０３の少なくとも１つが切断されことが通知された場合、例えば一定時間又は任意の時間が経過した後（Ｓ１２）、擬似フレーム生成部２０１ｃに擬似フレームの生成、及び送信を指示する（Ｓ１３）。この時、疑似フレーム制御部２０１ｂは、接続が切断されたＳＴＡのＭＡＣアドレス、及び通信パターン、例えば通信間隔、通信レート、通信の長さなどを擬似フレーム生成部２０１ｃに送る。
【００４７】
擬似フレーム生成部２０１ｃは、疑似フレーム制御部２０１ｂの指示に基づき、接続が切断されたＳＴＡのＭＡＣアドレス、及び通信パターンに従った擬似フレームを生成し、生成した擬似フレームを送信フレームバッファ２０２ｂに転送するとともに、送信要求をＭＡＣ２０２の送信制御部２０２ａに転送する（Ｓ１４）。
【００４８】
すなわち、擬似フレーム生成部２０１ｃは、送信元アドレスＡ１（ＭＡＣアドレス）、送信先アドレスＡ２であるようなデータフレームと、前記データフレームに対する送信元アドレスＡ１への返信フレームとを生成し、これらのフレームを送信フレームバッファ２０２ｂに転送する。
【００４９】
送信制御部２０２ａは、送信要求に従い、ＰＨＹ２０３からのＣＣＡやバックオフ時間などを考慮して、802.11規格のプロトコルに従い、送信フレームバッファ２０２ｂに保持されたデータフレームのフィールドにデータを埋め込み、ＰＨＹ２０３に転送する（Ｓ１５）。
【００５０】
その後、送信制御部２０２ａは、時間計測部２０２ｃを用いて時間を計測し、ＳＩＦＳ時間後に返信フレームが送信されるように、送信フレームバッファ２０２ｂに保持された返信フレームをＰＨＹ２０３に転送する（Ｓ１６）。
【００５１】
ＰＨＹ２０３に転送に転送されたデータフレーム、及び返信フレームは、順次送信処理される（Ｓ１７）。すなわち、接続が切断されたＳＴＡがＡＰ１００と送信を行うデータフレームと返信フレームと同等の擬似データフレームと擬似返信フレームが、ＡＰ１００から送信される。
【００５２】
ＣＰＵ２０２は、ＳＴＡが切断されている場合、上記ステップＳ１３〜Ｓ１７の動作を繰り返す。
【００５３】
また、接続管理部２０１ａにより、切断されていたＳＴＡが再び接続されたことが検知された場合、上記ステップＳ１３〜Ｓ１７の動作は、終了される。
【００５４】
尚、上記実施形態は、ＳＴＡ１０１〜１０３のいずれかの送信パターンをＡＰ１００により擬似した。このため、擬似フレーム制御部２０１ｂは、ＡＰ１００に接続されるＳＴＡ１０１〜１０３のＭＡＣアドレスを登録し、統計情報部２０１ｄに保持されたＳＴＡ１０１〜１０３の受信フレームの履歴情報に従って、擬似データフレームを生成した。
【００５５】
ＳＴＡの使用者の送信パターンを擬似する場合において、例えばある使用者は、大容量の動画ファイルを送受信することが多く、また、ある使用者は、ウェブの閲覧が多い場合、これら使用者のフレームサイズは大きく異なる。さらに、これら使用者は、フレームの送信時間、送信間隔も相違する。このような使用者の送信パターンの相違を擬似フレームに反映することも可能である。
【００５６】
さらに、ＡＰとの接続を維持するようなＳＴＡの場合、ＡＰとＳＴＡとの間で、接続維持シーケンスが実行される。このようなＳＴＡの場合、ＡＰ１００から定期的に、例えばＮｕｌｌフレームを送信することにより、擬似接続維持シーケンスを実行しているように振る舞うことができる。この擬似接続維持シーケンスも上記動作と同様に実行することが可能である。
【００５７】
また、逆に、接続を維持しないようなＳＴＡの場合、ＡＰ１００からランダムな時間間隔で、擬似接続維持シーケンス、又は、擬似送信フレームの送信を切断すればよい。これにより、ＡＰ１００によって、接続を維持しないようなＳＴＡを擬似することができる。
【００５８】
尚、ある確率で、擬似返信フレームを送信しないことにより、一層信憑性を向上できる。
【００５９】
図６（ａ）（ｂ）は、本実施形態の動作の一例を示しており、図６（ａ）（ｂ）において、Ｓ１は正規のデータフレームの送受信を示し、Ｓ２は正規の接続維持シーケンスを実行するフレームの送受信を示している。Ｐ１は擬似データフレームの送受信を示し、Ｐ２は擬似の接続維持シーケンスを実行するための擬似フレームの送受信を示している。
【００６０】
図６（ａ）は、接続を維持しないようなＳＴＡを擬似した場合を示している。正規のデータフレームの送受信Ｓ１が終了して接続が切断された後、擬似データフレームが一定時間経過後、或いは任意の時間経過後に送信されている。
【００６１】
また、図６（ｂ）は、接続維持シーケンスを実行するＳＴＡを擬似した場合を示している。正規のデータフレームの送受信Ｓ１が終了して接続が切断された後、擬似フレームの送受信Ｐ２が開始され、さらに、擬似データフレームの送受信Ｐ１が一定時間経過後、或いは任意の時間経過後に開始されている。
【００６２】
上記実施形態によれば、ＳＴＡ１０１〜１０３の少なくとも１つが切断された場合、ＡＰ１００は、一定時間経過後、或いは任意の時間経過後に接続されていたＳＴＡと同等の擬似送信フレームを送信する。このため、外部から宅内の通信状況の判明を困難とすることが可能であり、宅内にＳＴＡ及びその使用者が居ない場合においても、外部からは在宅であるかのように観測される。したがって、防犯上有利である。
【００６３】
また、接続維持シーケンスを実行するＳＴＡの場合、宅内にＳＴＡ及びその使用者が居ない場合においても、ＡＰ１００が接続維持シーケンスを実行するため、外部からは在宅であるかのように観測される。したがって、防犯上有利である。
【００６４】
さらに、ＡＰ１００は、統計情報部２０１ｄを有し、統計情報部２０１ｄは、ＡＰ１００がＳＴＡ１０１〜１０３から過去に受信した受信フレームの履歴情報を保持している。この履歴情報は、通信間隔、通信レート、通信の長さなどを含んでおり、この履歴情報は、疑似フレーム制御部２０１ｂにより参照され、疑似フレーム制御部２０１ｂは、履歴情報に基づき、疑似フレームの生成を制御する。したがって、あたかもＳＴＡ１０１〜１０３とＡＰ１００とが通信しているかのように擬似することが可能であり、擬似フレームの信憑性を向上することが可能である。
【００６５】
尚、上記実施形態は、ＣＰＵ２０１によりソフトウェアで実施する場合について説明した。しかし、これに限定されるものではなく、ハードウェアにより実施することも可能である。ハードウェアで実施する場合、図４に示すＣＰＵ２０１の構成をハードウェアで構成すればよい。
【００６６】
また、本実施形態は、ＡＰに組み込まれた形で説明したが、必ずしもＡＰに限定されるものではない。
【００６７】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６８】
１００…ＡＰ（端末）、１０１〜１０３…ＳＴＡ（端末）、２０１…ＣＰＵ、２０１ａ…接続管理部、２０１ｂ…擬似フレーム制御部、２０１ｃ…擬似フレーム生成部、２０１ｄ…統計情報部、２０２…ＭＡＣ、２０３…ＰＨＹ。
【図１】
2014187538.tif 000003
【図２】
2014187538.tif 000004
【図３】
2014187538.tif 000005
【図４】
2014187538.tif 000006
【図５】
2014187538.tif 000007
【図６】
2014187538.tif 000008
【手続補正書】
【提出日】平成25年8月6日(2013.8.6)
【手続補正１】
【補正対象書類名】明細書
【補正対象項目名】００４６
【補正方法】変更
【補正の内容】
【００４６】
疑似フレーム制御部２０１ｂは、ＳＴＡ１０１〜１０３の少なくとも１つが切断されたことが通知された場合、例えば一定時間又は任意の時間が経過した後（Ｓ１２）、擬似フレーム生成部２０１ｃに擬似フレームの生成、及び送信を指示する（Ｓ１３）。この時、疑似フレーム制御部２０１ｂは、接続が切断されたＳＴＡのＭＡＣアドレス、及び通信パターン、例えば通信間隔、通信レート、通信の長さなどを擬似フレーム生成部２０１ｃに送る。
【手続補正２】
【補正対象書類名】明細書
【補正対象項目名】００５４
【補正方法】削除
【補正の内容】
【手続補正３】
【補正対象書類名】明細書
【補正対象項目名】００５５
【補正方法】変更
【補正の内容】
【００５５】
尚、上記実施形態に限定されるものではなく、ＳＴＡの使用者の送信パターンを擬似する場合において、例えばある使用者は、大容量の動画ファイルを送受信することが多く、また、ある使用者は、ウェブの閲覧が多い場合、これら使用者のフレームサイズは大きく異なる。さらに、これら使用者は、フレームの送信時間、送信間隔も相違する。このような使用者の送信パターンの相違を擬似フレームに反映することも可能である。